(57)【特許請求の範囲】
【請求項１】
一側ケース部が備えるプリント回路板に他側ケース部が備える電池からの給電を自在にして相互の開口面を対面させて組み合わされる測定器の筺体構造において、
前記一側ケース部は、前記プリント回路板における通孔が穿設された一対の給電ポイントとの対応部位に前記通孔と対面合致する位置関係のもとで設けた雌ねじ部を少なくとも備え、
前記他側ケース部は、頂部を突出させた導電性圧縮コイルバネが介装され、かつ、面板部の外側面からその先端側へと向かって貫通させたねじ挿通孔を有して前記給電ポイントとの対面部位に突設された一対のボス部と、前記導電性圧縮コイルバネの一方の側には一方の極を、他方の側には他方の極を各別に導通させての電池の定置を自在に配設された電池定置部とを少なくとも備え、
これら一側ケース部と他側ケース部とは、ねじ挿通孔を介してねじ材を前記雌ねじ部に螺着することにより、前記プリント回路板の給電ポイントと前記導電性圧縮コイルバネとを接触させた状態での一体的な組合せを自在にして形成したことを特徴とする測定器の筺体構造。
【請求項２】
前記ボス部のそれぞれは、先端側に設けた細径部の先端面から頂部が突出するように導電性圧縮コイルバネを介装させ、かつ、面板部の外側面から前記細径部へと貫通する大径部と小径部とからなるねじ挿通孔を設けて通孔との対面部位に突設され、かつ、介装させた導電性圧縮コイルバネを前記細径部と略同高にて外周側から囲繞する周壁部を設けて形成したことを特徴とする請求項１記載の測定器の筺体構造。
【発明の詳細な説明】
【０００１】
【発明の属する技術分野】
本発明は、気温や湿度などの環境条件を継続的に測定する自動記録計などに好適に用いることができる測定器の筺体構造に関する。
【０００２】
【従来の技術】
図３と図４とは、自動記録計などの測定器に従来から採用されている筺体構造を例示するものである。
【０００３】
このうち、図３に示す筺体構造は、一側ケース部１が備えるプリント回路板２に設けた差込みプラグ２ａを、他側ケース部３が備える電池Ｂから引き出されたリード線４に付設されたソケット４ａに差し込んで給電できるようになっている。
【０００４】
また、図４に示す筺体構造は、一側ケース部５が備えるプリント回路板６に一対の給電ポイント６ａ，６ａがあらかじめ設けられており、他側ケース部７が備える電池Ｂから引き出されたリード線８が各別に接続された一対の導電性圧縮コイルバネ９，９を給電ポイント６ａ，６ａに接触させて給電できるようになっている。
【０００５】
【発明が解決しようとする課題】
しかし、図３に示す筺体構造によれば、リード線４の配線が必要になりそれだけ組立工数が増加するばかりでなく、一側ケース部１と他側ケース部３とを引き離した際に過ってリード線４を引きちぎってしまうおそれもあった。
【０００６】
また、図４に示す筺体構造によれば、一側ケース部５と他側ケース部７とのいずれかに撓みや寸法誤差が生じた場合には、プリント回路板６の給電ポイント６ａ，６ａに導電性圧縮コイルバネ９，９を正確に接触させることができなくなる不安定さがあった。
【０００７】
本発明は従来からある筺体構造にみられた上記課題に鑑み、リード線の配線が不要になるばかりでなく、一側ケース部や他側ケース部に仮に撓みや寸法誤差が生じてもプリント回路板の給電ポイントに安定的に給電できるようにした測定器の筺体構造を提供することを目的とする。
【０００８】
【課題を解決するための手段】
本発明は上記目的を達成すべくなされたものであり、その構成上の特徴は、一側ケース部が備えるプリント回路板に他側ケース部が備える電池からの給電を自在にして相互の開口面を対面させて組み合わされる測定器の筺体構造において、前記一側ケース部は、前記プリント回路板における通孔が穿設された一対の給電ポイントとの対応部位に前記通孔と対面合致する位置関係のもとで設けた雌ねじ部を少なくとも備え、前記他側ケース部は、頂部を突出させた導電性圧縮コイルバネが介装され、かつ、面板部の外側面からその先端側へと向かって貫通させたねじ挿通孔を有して前記給電ポイントとの対面部位に突設された一対のボス部と、前記導電性圧縮コイルバネの一方の側には一方の極を、他方の側には他方の極を各別に導通させての電池の定置を自在に配設された電池定置部とを少なくとも備え、これら一側ケース部と他側ケース部とは、ねじ挿通孔を介してねじ材を前記雌ねじ部に螺着することにより、前記プリント回路板の給電ポイントと前記導電性圧縮コイルバネとを接触させた状態での一体的な組合せを自在にして形成したことにある。
【０００９】
この場合、前記ボス部のそれぞれは、先端側に設けた細径部の先端面から頂部が突出するように導電性圧縮コイルバネを介装させ、かつ、面板部の外側面から前記細径部へと貫通する大径部と小径部とからなるねじ挿通孔を設けて通孔との対面部位に突設され、かつ、介装させた導電性圧縮コイルバネを前記細径部と略同高にて外周側から囲繞する周壁部を設けて形成するのが好ましい。
【００１０】
【発明の実施の形態】
図１は本発明の一例を一側ケース部と他側ケース部とを相互に引き離した状態で示す分解斜視図であり、図２は、一側ケース部と他側ケース部とを一体的に組み立てた際の要部を拡大して示す縦断面図である。
【００１１】
これらの図によれば、例えば上側ケースとして用いられる一側ケース部１１と下ケースとして用いられる他側ケース部２１とは、一側ケース部１１が備えるプリント回路板１５に対し、他側ケース部２１が備える電池  からの給電を自在にして相互の開口面１１ａ，２１ａを対面させて組み合わせることができるようにして形成されている。
【００１２】
この場合、一側ケース部１１は、プリント回路板１５における通孔１７が穿設された一対の給電ポイント１６，１６との対応部位に通孔１７と対面合致する位置関係のもとで設けられた雌ねじ部１４を少なくとも備えて形成されている。
【００１３】
これを図示例に即してより具体的に説明すれば、一側ケース部１１には、面板部１２の内側面１２ａにプリント回路板１５を各別に支持すべく突設された支柱部１３を含む支持部材が配設されており、該支持部材により面板部１２から離間させた状態、例えば一側ケース部１１の開口面１１ａの面高と表出面１５ａの高さを一致させた状態のもとでプリント回路板１５が保持されている。
【００１４】
しかも、支柱部１３の支持面１３ａには、一側ケース部１１と他側ケース部２１とを組み合わせた際にプリント回路板１５の通孔１７と対面合致する位置関係のもとで、例えば埋込みナットなどからなる雌ねじ部１４が設けられている。
【００１５】
一方、他側ケース部２１は、頂部２７ａを突出させた導電性圧縮コイルバネ２７が介装され、かつ、面板部２２の外側面２２ｂからその先端側へと向かって貫通させたねじ挿通孔２６を有して給電ポイント１６との対面部位に突設された一対のボス部２２，２２と、導電性圧縮コイルバネ２７の一方の側には一方の極を、他方の側には他方の極を各別に導通させての電池Ｂの定置を自在に配設された電池定置部２８とを少なくとも備えて形成されている。
【００１６】
これを図示例に即してより具体的に説明すれば、他側ケース部２１には、一対のボス部２３，２３がその先端側に設けた細径部２４の先端面２４ａから頂部２７ａが突出する長さが付与された導電性圧縮コイルバネ２７を介装させ、かつ、一側ケース部１１と他側ケース部２１とを組み合わせた際に支柱部１３と対面する部位に位置するようにして突設されている。しかも、各ボス部２３は、面板部２２の外側面２２ｂから細径部２４へと貫通する大径部２６ａと小径部２６ｂとからなるねじ挿通孔２６を備えて形成されている。この場合、各ボス部２３は、介装させた導電性圧縮コイルバネ２７を細径部２４と略同高にて外周側から囲繞する周壁部２５を設けて形成するのが好ましい。
【００１７】
また、他側ケース部２１の内側面２２ａには、１本以上の所望する本数の電池Ｂを並列もしくは直列となって安定的に定置できる例えばボックス状に形成された電池定置部２８が一対のボス部２３，２３の近傍位置に配設されている。
【００１８】
この場合、電池定置部２８は、電池Ｂの一方の極である陽極側に接触する陽極端子金具２９と、他方の極である陰極側に接触する陰極端子金具３０とを備えて形成されている。しかも、陽極端子金具２９は、リード部２９ａを介して一方の導電性圧縮コイルバネ２７と、陰極端子金具３０は、リード部３０ａを介して他方の導電性圧縮コイルバネ２７とそれぞれ一体に形成するのが望ましい。しかし、必要により、陽極端子金具２９には、一方の導電性圧縮コイルバネ２７がら引き出されたリード部を、陰極端子金具３０には、他方の導電性圧縮コイルバネ２７がら引き出されたリード部をそれぞれ接続させるようにしてもよい。
【００１９】
かくして、一側ケース部１１と他側ケース部２１とは、図２に示すようにねじ挿通孔２６を介してねじ材３１を雌ねじ部１４に螺着することにより、プリント回路板１５の給電ポイント１６に導電性圧縮コイルバネ２７が接触した状態のもとで一体的に組み合わせることができる。
【００２０】
次に、上記構成からなる本発明につき、その作用・効果を説明すれば、他側ケース部２１の開口面２１ａと一側ケース部１１の開口面１１ａとが対面し、かつ、プリント回路板１５の通孔１７と導電性圧縮コイルバネ２７とが対向する配置関係のもとで、相互を組み合わせる。
【００２１】
このような配置関係のもとで一側ケース部１１と他側ケース部２１とを組み合わせた後は、ねじ材３１をねじ挿通孔２６を介して他側ケース部２１の外側面２２ｂの側から送り込み、一側ケース部１１の内側面に突設されている支柱部１３の雌ねじ部１４に螺着して一側ケース部１１と他側ケース部２１とを一体化する。この場合、ねじ挿通孔２６が大径部２６ａと小径部２６ｂとで形成されている場合には、図２に示すようにねじ材３１の頭部を大径部２６ａと小径部２６ｂと境界部に形成される棚部に支持させて雌ねじ部１４に対しねじ材３１を確実に螺着できる。なお、ねじ挿通孔２６が同径の内径で形成されている場合には、他側ケース部２１の外側面２２ｂにその頭部を支持させたねじ材（図示せず）を雌ねじ部１４に螺着することになる。
【００２２】
これをさらに詳しく説明すれば、一側ケース部１１には、例えば一側ケース部１１の開口面１１ａの面高と表出面１５ａの高さを一致させた状態のもとで支柱部１３の支持面１３ａに設けた雌ねじ部１４と給電ポイント１６に設けられた通孔１７とを対面合致させてプリント回路板１５が保持されている。また、他側ケース部２１には、給電ポイント１６の通孔１７と対面合致する位置関係のもとでねじ挿通孔２６を有する一対のボス部２３，２３が突設されており、それぞれの細径部２４を介して導電性圧縮コイルバネ２７が各別に介装配置されている。
【００２３】
しかも、導電性圧縮コイルバネ２７は、細径部２４の頂面２４ａからその頂部２１ａが突出するように配置されているので、一側ケース部１１や他側ケース部２１に多少の撓みや寸法誤差が生じたとしても、ねじ材３１を雌ねじ部１４に螺着させることにより、一側ケース部１１におけるプリント回路板１５の各給電ポイント１６に対し導電性圧縮コイルバネ２７をばね圧を利用して常に正確に接触させることができる。
【００２４】
また、一側ケース部１１と他側ケース部２１との間には、図３におけるリード線４のような線材が介在していないので、一側ケース部１１と他側ケース部２１とを引き離した際に断線が生ずることをなくすことができる。
【００２５】
なお、各ボス部２３が細径部２４と略同高にした周壁部２５を備えている場合には、細径部２４に対し導電性圧縮コイルバネ２７を介装させた上で、より安定的にこれを保持させることができる。また、各ボス部２３が細径部２４を有していない場合には、その先端外周部に導電性圧縮コイルバネ２７を圧着するなどして固定配置することができる。
【００２６】
【発明の効果】
以上述べたように本発明によれば、他側ケース部の開口面と一側ケース部の開口面とが対面し、かつ、プリント回路板の通孔とボス部のねじ挿通孔とが対向する配置関係のもとで相互を組み合わせ、ねじ材をねじ挿通孔を介して一側ケース部の支柱部の雌ねじ部に螺着することにより、一側ケース部や他側ケース部に多少の撓みや寸法誤差があってもプリント回路板の各給電ポイントに対応する導電性圧縮コイルバネをばね圧を利用して常に正確に接触させて一体化することができる。
【００２７】
しかも、一側ケース部と他側ケース部との間には、線材が介在していないので、一側ケース部と他側ケース部とを引き離しても断線が生ずることはない。なお、各ボス部が周壁部を備えている場合には、細径部に対し導電性圧縮コイルバネを介装させてより安定的に保持させることができる。
【図面の簡単な説明】
【図１】本発明の一例を一側ケース部と他側ケース部とを相互に引き離した状態で示す分解斜視図。
【図２】図１に示す一側ケース部と他側ケース部とを一体的に組み立てた際の要部を拡大して示す縦断面図
【図３】従来からある一例を一側ケース部と他側ケース部とを相互に引き離した状態で示す分解斜視図。
【図４】従来からある他例を一側ケース部と他側ケース部とを相互に引き離した状態で示す分解斜視図。
【符号の説明】
１１  一側ケース部
１１ａ  開口面
１２  面板部
１２ａ  内側面
１３  支柱部
１３ａ  支持面
１４  雌ねじ部
１５  プリント回路板
１５ａ  表出面
１６  給電ポイント
１７  通孔
２１  他側ケース部
２１ａ  開口面
２２  面板部
２２ａ  内側面
２２ｂ  外側面
２３  ボス部
２４  細径部
２４ａ  先端面
２５  周壁部
２６  ねじ挿通孔
２６ａ  大径部
２６ｂ  小径部
２７  導電性圧縮コイルばね
２７ａ  頂部
２８  電池定置部
２９  陽極端子部
２９ａ  リード部
３０  陰極端子部
３０ａ  リード部
３１  ねじ材
Ｂ  電池
【図１】
0003588298.tif 000002
【図２】
0003588298.tif 000003
【図３】
0003588298.tif 000004
【図４】
0003588298.tif 000005